(57)【要約】測定対象の電流が流れる導電体（４）の周りに配分されるように、一つの基板の上に配置された、磁界の検出素子（６）が複数あり、その磁界の検出素子（６）からの出力信号を受信する信号処理回路（９）があって、磁界の検出素子（６）のそれぞれには、加算用抵抗器（７）により、加算地点（８）に接続された第一端子（６ａ）が少なくとも一つと、共通点（１６）につながれた第二端子（６ｂ）があり、すべての第二端子（６ｂ）は、その共通点につながれた第二の導体（１４）に接続されており、基板（１１）を構成するのはプリント回路基板であり、その二つの導体（１３、１４）を構成するのは、そのプリント回路基板の導体トラックであり、その導体トラックがそのプリント回路基板の表裏にジグザグに通っていて、撚合せか編組のような形になっており、寄生磁界などの影響を打ち消す。
2007513355.tif 000002
【特許請求の範囲】
【請求項１】
導電体（４）の中を流れる電流の値を測定するための電流検出器であり、測定対象の電流が流れる導電体の周りに設置するのに適した基板（１１）が一つあり、前記基板（１１）上に、磁界の検出素子（６）が幾つも配置されていて、前記導電体（４）の周りに配分されるようになっており、そして、前記磁界の検出素子（６）からの出力信号を受信する信号処理回路（９）があって、磁界の検出素子のそれぞれには、第一、第二の端子が少なくとも一つずつあり、その磁界の検出素子（６）すべての第一端子（６ａ）は、加算用抵抗器（７）のそれぞれにより、信号処理回路（９）の第一の入力端子（９ａ）一つに連結された加算地点（８）一つに接続されていて、その磁界の検出素子（６）すべての第二端子（６ｂ）は、信号処理回路の第二の入力端子（９ｂ）に接続されており、
その特徴は、その加算用抵抗器（７）すべてが、その加算地点（８）に接続された第一の導体（１３）に接続されており、磁界の検出素子（６）の第二の端子（６ｂ）すべてが、その信号処理回路（９）の第二の入力端子（９ｂ）に接続された第二の導体（１４）に接続されており、その基板（１１）を構成するのはプリント回路基板であり、その第一、第二の導体（１３、１４）を構成するのは、それぞれそのプリント回路基板の第一、第二の導体トラックであり、それら第一、第二の導体トラックがプリント回路基板（１１）上でジグザグに通っていて、撚合せか編組のような形になっていることを特徴とする電流検出器。
【請求項２】
プリント回路基板（１１）が両面（１１ａ、１１ｂ）がプリントされており、導体トラック（１３、１４）は、プリント回路基板の両面（１１ａ、１１ｂ）上に通されていることを特徴とする、請求項１記載の電流検出器。
【請求項３】
第一、第二の導体トラック（１３、１４）のそれぞれが、その測定対象の電流が通る導電体（４）の通路としてそのプリント回路基板（１１）の中に開けられた開口（１２）の周囲をぐるりと取り囲む、閉じたループとなっていることを特徴とする、請求項１または請求項２に記載の電流検出器。
【請求項４】
各加算用抵抗器（７）には端子が二つあり、そのそれぞれが、その対応する磁界の検出素子（６）の第一端子（６ａ）にできるだけ近いところで、そしてその第一の導体トラック（１３）にできるだけ近いところで、接続されていることを特徴とする、請求項１〜３のいずれか一つに記載の電流検出器。
【請求項５】
プリント回路基板（１１）には、その両面（１１ａ、１１ｂ）の少なくとも一面の上にプリント回路基板（１１）の導体トラック（１３、１４）をぴったりと密接して囲むアースパターン（１５ａ、１５ｂ）があることを特徴とする、請求項１〜４のいずれか一つに記載の電流検出器。
【請求項６】
アースパターン（１５ａ、１５ｂ）が、前記開口（１２）の周囲をぐるりと取り囲む、閉じたループとなっていることを特徴とする、請求項３と請求項５に記載の電流検出器。
【請求項７】
第二の導体トラック（１４）が、そのアースパターン（１５ａ、１５ｂ）につながっているのは、そのアースパターンの中でも、その第一の導体トラック（１３）と隣接する一地点（１６）のところであり、その第一の導体トラック（１３）がつながっている前記加算地点（８）は、その第二の導体トラック（１４）が、そのアースパターンにつながっている前記の一地点（１６）と隣接していることを特徴とする、請求項５または請求項６に記載の電流検出器。
【請求項８】
磁界の検出素子（６）が、ホール効果センサであることを特徴とする、請求項１〜７のいずれか一つに記載の電流検出器。
【請求項９】
ホール効果センサ（６）のそれぞれには、第三、第四の端子（６ｃ、６ｄ）があり、そのホール効果センサ（６）すべての第三端子（６ｃ）は、そのプリント回路基板（１１）の第三の導体トラック（１７）に接続されており、その第三の導体トラックが、第一の固定電位に一地点（１８）でつながっており、前記プリント回路基板上にジグザグに通されていて、その第一、第二の導体トラック（１３、１４）とともに撚合せか編組のような形になっていることを特徴とする、請求項８に記載の電流検出器。
【請求項１０】
第三の導体トラック（１７）が、前記開口（１２）の周りを完全に取り囲む、閉じたループとなっていることを特徴とする、請求項３と請求項９に記載の電流検出器。
【請求項１１】
ホール効果センサ（６）の第二、第四の端子（６ｂ、６ｄ）が、ともに、そのプリント回路基板（１１）の第二の導体トラック（１４）に接続されており、その導体トラック自体が、第二の固定電位すなわちアースパターン（１５）の電位につながっていることを特徴とする、請求項９または請求項１０に記載の電流検出器。
【請求項１２】
第三の導体トラック（１７）がつながっている前記第一の固定電位における前記一地点（１８）が、前記プリント回路基板（１１）上の、前記加算地点（８）と前記アースパターン（１５）への接続用の一地点（１６）の脇に位置していることを特徴とする、請求項１０または請求項１１に記載の電流検出器。
【発明の詳細な説明】
【技術分野】
【０００１】
本発明は、導電体の中を通る電流の値を測定するための電流検出器に関するものである。本発明は、さらに詳細には、磁心のないタイプの電流検出器で、測定対象の電流が流れる導電体の周りに設置するのに適した基板が一つあり、その基板上に、磁界の検出素子が幾つも配置されていて、その導電体の周りに配分されるようになっており、そして、そのような磁界の検出素子からの出力信号を受信する信号処理回路があるものに関するものである。
【背景技術】
【０００２】
磁界の検出素子のそれぞれには、第一と第二の端子が少なくとも一つずつある。そのような磁界の検出素子すべての第一端子は、加算用抵抗器のそれぞれにより、信号処理回路の第一の入力端子一つに連結された加算地点一つに接続されている。そのような磁界の検出素子すべての第二端子は、信号処理回路の第二の入力端子一つに接続されている。そのような磁界の検出素子の例として考えられるのは、ホール効果センサ、磁気抵抗素子または磁界に置くと電気信号を生成する適性を備えたその他の要素である。この種の電流検出器は、例えば仏国特許出願公開第２７８９７６３号明細書及び米国特許第４，６２５，１６６号明細書のような文献によって知られている。
【０００３】
磁心のない電流検出器は、磁心付きの電流検出器に比べて、数多くの利点がある。例えば、磁心のない電流検出器は、まさに磁心がないために、磁心付きの電流検出器よりも遥かに軽い。さらに、最大周波数の点でも、測定可能な電流の強度の最大値の点でも、使える範囲がずっと広いのは、磁心が飽和するということがないからである。また、磁心のない電流検出器には、熱を帯びにくいという利点があり、さらに小型化が可能である。さらに、そのような電流検出器は、測定対象の電流が通る導電体の中で瞬間的に発生する過電流も測定することができ、しかも、その測定を行うことで破壊されたりはしない。これは、そのような磁界の検出素子には、そのような導電体の中を循環する強度の高い電流によって惹起された大きな磁界を測定する能力があること、そして、そのような素子の出力に設置された信号処理の電子回路は、飽和しても傷まないということに起因している。
【０００４】
しかしながら、磁心のない電流検出器というものは、寄生磁界あるいは非均等磁界さらにはさまざまな磁界変動に敏感だという欠点を呈するのである。
【特許文献１】仏国特許出願公開第２７８９７６３号明細書
【特許文献２】米国特許第４，６２５，１６６号明細書
【発明の開示】
【発明が解決しようとする課題】
【０００５】
それゆえ、本発明の目的は、冒頭で定義したような種類の電流検出器で、寄生磁界、あるいは非均等磁界さらにはさまざまな磁界変動への感受性の低いものを提供することである。
【課題を解決するための手段】
【０００６】
そのため、本発明が対象とする電流検出器は、導電体の中を流れる電流の値を測定するための電流検出器であり、測定対象の電流が流れる導電体の周りに設置するのに適した基板が一つあり、前記基板上に、磁界の検出素子が幾つも配置されていて、前記導電体の周りに配分されるようになっており、そして、前記磁界の検出素子からの出力信号を受信する信号処理回路があって、磁界の検出素子のそれぞれには、第一、第二の端子が少なくとも一つずつあり、その磁界の検出素子すべての第一端子は、加算用抵抗器のそれぞれにより、信号処理回路の第一の入力端子一つに連結された加算地点一つに接続されていて、その磁界の検出素子すべての第二端子は、信号処理回路の第二の入力端子に接続されており、
その特徴は、その加算用抵抗器すべてが、その加算地点に接続された第一の導体に接続されており、磁界の検出素子の第二の端子すべてが、その信号処理回路の第二の入力端子に接続された第二の導体に接続されており、その基板を構成するのはプリント回路基板であり、その第一、第二の導体を構成するのは、それぞれそのプリント回路基板の第一、第二の導体トラックであり、それら第一、第二の導体トラックがプリント回路基板上でジグザグに通っていて、撚合せか編組のような形になっている。
【０００７】
本発明の電流検出器は、さらに以下の特徴の一つまたは幾つかを備えていてもよい。
【０００８】
そのプリント回路基板は両面がプリントされており、導体トラックは、そのプリント回路基板の両面上に通されているという特徴。
【０００９】
そのような第一、第二の導体トラックのそれぞれが、その測定対象の電流が通る導電体の通路としてそのプリント回路基板の中に開けられた開口の周囲をぐるりと取り囲む、閉じたループとなっているという特徴。
【００１０】
各加算用抵抗器には端子が二つあり、そのそれぞれが、その磁界の検出素子の対応素子の第一端子にできるだけ近いところで、そしてその第一の導体トラックにできるだけ近いところで、接続されているという特徴。
【００１１】
そのプリント回路基板には、その両面の少なくとも一面の上にそのプリント回路基板の導体トラックをぴったりと密接して囲むアースパターンがあるという特徴。
【００１２】
そのアースパターンが、その開口の周囲をぐるりと取り囲む、閉じたループとなっているという特徴。
【００１３】
その第二の導体トラックが、そのアースパターンにつながっているのは、そのアースパターンの中でも、その第一の導体トラックと隣接する一地点のところであり、その第一の導体トラックがつながっている前記加算地点は、その第二の導体トラックが、そのアースパターンにつながっている前記の一地点と隣接しているという特徴。
【００１４】
その磁界の検出素子は、ホール効果センサであるという特徴。
【００１５】
そのホール効果センサのそれぞれには、第三、第四の端子があり、そのようなホール効果センサすべての第三端子は、そのプリント回路基板の第三の導体トラックに接続されており、その第三の導体トラックが、第一の固定電位に一地点でつながっており、そのプリント回路基板上にジグザグに通されていて、そのような第一、第二の導体トラックとともに撚合せか編組のような形になっているという特徴。
【００１６】
その第三の導体トラックは前記開口の周りを完全に取り囲む、閉じたループとなっているという特徴。
【００１７】
ホール効果センサの第二、第四の端子は、ともに、そのプリント回路基板の第二の導体トラックに接続されており、その導体トラック自体が、第二の固定電位すなわちアース電位につながっているという特徴。
【００１８】
その第三の導体トラックがつながっている前記第一の固定電位における前記一地点は、前記プリント回路基板上の、前記加算地点と前記アースパターンへの接続用の一地点の脇に位置しているという特徴。
【発明を実施するための最良の形態】
【００１９】
本発明は、添付図面を参照しつつ、以下の説明を読み進むうちに、さらに理解が深まることになるが、以下の説明は、あくまで例を示すものであり、限定する趣旨のものではない。
【００２０】
図１は、本発明に係る電流検出器を、測定対象の電流が通る導電体バー一組の周囲に設置されているところを示す斜視図である。
【００２１】
図２は、図１に係る電流検出器の簡略化した電気図面である。
【００２２】
図３は、ジグザグに通らせた導体トラックを載せたプリント回路基板の一部を示す斜視図である。
【００２３】
図４は、本発明に係る電流検出器が、寄生磁界への感度が、なぜ低いのかを説明することのできる原理図である。
【００２４】
図５は、本発明に係る電流検出器のプリント回路基板のおもて面を示す図である。
【００２５】
図６は、本発明に係る電流検出器のプリント回路基板の裏面を示す図である。
【００２６】
図７は、図５、６のプリント回路基板のおもて面と裏面の導体トラックを同時に示す図であり、そのプリント回路基板の基材は、透明でアースパターンが取り去られているという想定になっている。
【００２７】
図８は、その磁界の検出素子のうちの一つを設置する区域において、図７のプリント回路基板の一部を拡大して示す図である。
【００２８】
まず図１について言うと、そこに見られる本発明の電流検出器１には、絶縁材料でできたケース２があり、その中に、その電流検出器の能動的な要素、及び／または、機能的な要素（図１には示さず）がある。
【００２９】
ケース２の形は全体として平行六面体であり、主要面２ａ、２ｂの向かい合う二つの形は正方形か長方形の角のところを丸くしたものである。ケース２には中央に大きな開口部３があり、それがそのケースを、主要面２ａから主要面２ｂに、一方の側から他方の側に突き抜けていて、その開口部のおかげで、電流検出器１を、測定対象の電流Ｉが通る導電体４の周りに設置することができる。図１では、導電体４を構成するのは、例えば、三本のバー４ａ、４ｂ、４ｃのような、一組の導電体バーである。当然ながら、ケース２の開口部３の寸法で許容される限度内に留まっている限りは、導電体バーの数は三本よりも少なくても、三本よりも多くてもよい。さらに、一組の導電体バー４の代わりに、測定対象の電流が流れる一本または数本の電気ケーブルを用いてもよい。
【００３０】
図１に示されているように、ケース２には、主要面２ａから主要面２ｂに、一方の側から他方の側に、ケース２を突き抜ける貫通穴５が四つあって、それにより、適当な支えに対して電流検出器１を、立たせて、または寝かせて、直接にか、または、よく知られているように取り付け用の要素を介して間接的に、固定することができるような固定用ビス（図示せず）を通すようになっている（例えば仏国特許出願公開第２７９３８８４号明細書参照）。
【００３１】
つぎに、図２の電気図面について言うと、電流検出器１には磁界の検出素子６が幾つもあって、その出力信号は、それぞれ加算用抵抗器７を通って加算地点８に送られるのだが、その加算地点自体が信号処理回路９の第一の入力９ａに電気的に接続されており、その信号処理回路９の出力１０が電流検出器１の出力となりうる。
【００３２】
磁界の検出素子６を構成するのは、例えばホール効果センサでもよい。ホール効果センサ６は、基板上（図２には示さず）に載っており、それにより、測定対象の電流が通る導電体４の周囲に配分されるようになっている。
【００３３】
上記の基板を構成するのは、プリント回路基板１１で、その具体的な実施例は、図５〜８に示されており、詳細については後述することにする。差し当たり、プリント回路基板１１の中央に開口１２があり、その形状と寸法が、ケース２の開口部３に対応するということを心に留めて置けば十分である。
【００３４】
図２において示したのは、ホール効果センサ６が四つだけであるが、それはこの図面を分かりやすくするためであり、本発明は、ホール効果センサ６が四つだけとか、磁界の検出素子が四つだけの電流検出器に限定されるということはないのは自明のことである。例えば、電流検出器１にはホール効果センサが１４個あってもよいことは、図５〜７に示すとおりであって、そこではホール効果センサは図示されていないけれども、そのようなホール効果センサのプリント回路基板１１における位置は、それぞれ符号Ｐ1〜Ｐ14で示されている。
【００３５】
図２に示すように、各ホール効果センサ６には６ａ〜６ｂの四つの端子がある。ホール効果センサ６からの有効な出力信号を届ける端子６ａはすべて、加算用抵抗器７を通して、第一の導体１３につながっており、その第一の導体１３自体が、上記の加算地点８につながっている。各ホール効果センサ６の二つの端子６ｂと６ｄは、二つまとめて互いにつなげられ、そして、ホール効果センサ６すべてに共通の第二の導体１４につながれており、その第二の導体１４自体も、できれば、図２の中に符号１６で示されているような、たった一つの地点になっているアース１５につながっていることが望ましい。信号処理回路９のもう一つの端子９ｂは、演算増幅器としての機能を果たすもので構成されていてもよいが、それもまた、図２に示すようにアース１５につながれている。最後に、ホール効果センサ６の端子６ｃすべてが第三の導体１７につながれており、その導体１７自体が一地点１８につながれている。その一地点１８は、例えば＋５Ｖの第一の固定電位のものであり、一方、アース１５は、電流測定のための基準電位の役目を果たす第二の固定電位のものである。
【００３６】
電流検出器１を寄生磁界や磁界の変動への感度が低いものとするために、導体１３、１４、１７の三つは、撚ってふさにするか、あるいは一まとめに編むのであるが、それは、図３及び図５〜８を参照しつつ、これから説明する。
【００３７】
プリント回路基板１１には基材１９（図３、７、８）があり、それを構成するのは、板状かシート状の素材、絶縁性のプラスチック材であり、場合によっては、それを、例えばグラス・ファイバーのような、繊維で強化する。基材１９の両面上に、例えば銅で、既に知られているフォトエッチング技術で、導体トラックが形成されている。
【００３８】
特に、上記の三つの導体１３、１４及び１７のそれぞれを構成するのは、導体トラック一つであり、それは、図７、８では同じ符号１３、１４または１７で示され、導体トラック１３については、図３に示すように、ジグザグに通っている。図３は、プリント回路基板１１の小さな一部分を拡大したものであり、この図においては、導体トラック１３を、図をもっと分かりやすくするために示したに過ぎない。図示されているように、ホール効果センサ６の各場所の間に位置しているプリント回路基板１１のところでは、導体トラック１３を構成しているのは、交互に１３ａと１３ｂで示される一連の導体セグメントである。例えば導体セグメント１３ａのように、順番が奇数のものは、プリント回路基板１１のおもて面１１ａ上に位置（図３、５）しており、一方、導体セグメント１３ｂのように、順番が偶数のものは、プリント回路基板１１の裏面１１ｂ上に位置（図３、６）している。導体セグメント１３ａを、導体セグメント１３ｂと直列に接続しているのは、導体の横断箇所２１である。
【００３９】
同様に、導体トラック１４、１７を構成する導体セグメント１４ａ、１７ａは、プリント回路基板１１のおもて面１１ａ上に位置しており（図５）、導体セグメント１４ｂ、１７ｂは、プリント回路基板１１の裏面１１ｂ上に位置していて（図６）、それらをそれぞれ導体セグメント１４ａと１７ａとを直列に接続しているのは、導体の横断箇所２１と同様の導体の横断箇所であり、それは、図８に見られるとおりである。
【００４０】
できれば、アース１５につながれている、導体トラック１４の各導体セグメント１４ａは、導体トラック１３の導体セグメント１３ａと導体トラック１７の導体セグメント１７ａとの間に位置していることが望ましく、それは、図５、８に、はっきりと見て取れることである。同様に、導体トラック１４の各導体セグメント１４ｂは、導体トラック１３の導体セグメント１３ｂと導体トラック１７の導体セグメント１７ｂとの間に位置していることが望ましく、それは、図６、８に、見て取れることである。
【００４１】
図７では、導体トラック１３、１４と１７の導体セグメント１３ａ、１４ａと１７ａは、黒い太線で示されているのに対して、導体トラック１３、１４と１７の導体セグメント１３ｂ、１４ｂと１７ｂは、灰色の線で示されているのは、あたかもそれらがプリント回路基板１１の基材１９を通して透明に見えているかのようである。
【００４２】
三つの導体トラック１３、１４、１７の各々について、そのようにして得られる撚合せ状の構造により、電流検出器１を、寄生磁界への感度が低く、さらには、感応しないものにすることができる。事実、撚合せ状の導体トラックをジグザグに通すことは、導体トラック１３、１４については、図４に示すようにモデル化することが可能である（同様のモデル化は導体トラック１４、１７でも実現可能となる）。その電流検出器を「過酷な」つまり非均等な磁界環境に設置する場合、例えば、一組の導電体バー４のうちの一本または数本が、一つのアングルまたはエルボのようなものを形成し、電流検出器１をそのアングルの近くに設置する場合、あるいはさらに、電流検出器１を測定対象の電流が通るその一組の導電体バー４に隣接する寄生磁界の導電体の近くに設置する場合、その寄生磁界の導電体または、その電流検出器１を通る非均等な磁束の線が生成する磁束の変動が、ホール効果センサ６をつなぐ導体の連結における電圧を誘起する。そのような誘起電圧は、そのようなホール効果センサ６が届ける信号を攪乱することになり、その場合、その電流検出器は、誤った情報を届けることになる。
【００４３】
しかるに、図４に示すように、導体トラック１３、１４、１７の各々が撚合せのような構造をしているために、その撚合せの二つの連続するループまたは螺旋２２、２３を流れる磁束の変動ｄΦ／ｄｔは、やがて第一の螺旋２２の中に正の電圧２４を誘起し、第二の螺旋２３の中に負の電圧２５を誘起することになるのは、この第二の螺旋２３は、その第一の螺旋２２とは逆方向の磁束に遭遇するからである。二つの螺旋２２、２３が同一面積を有する場合には、誘起電圧２４と２５の絶対値は同じであるが、正負の符号は逆なので、互いに打ち消し合う。それで分かるのは、あらかじめ、導体トラック１３、１４そして導体トラック１４、１７が形成する撚合せの中に螺旋を偶数個、用意すれば、複数のホール効果センサ６をつなぐ電気結合の中での寄生磁界、あるいは非均等な磁界の変動により誘起される寄生電圧を打ち消すことができるようにすることが可能になるということである。導体トラック１３、１４、１７がジグザグに通り、編組構造になっている場合にも、同じ結果が得られることになるが、図は、それよりももう少し複雑になっており、もっと多数の導体の横断箇所２１が必要になることとなる。
【００４４】
電流検出器１のケース２の開口部３の周囲に切れ目がなく、その結果、プリント回路基板１１の開口１２もそうである場合には、三つの導体トラック１３、１４、１７のそれぞれは、できれば、一つの閉じたループをなしていることが望ましいのだが、それは、そういうわけで、短絡することになるのは、図２と図５〜７に見られるとおりである。導体トラック１３、１４、１７が形成する、そのような閉じたループに開きがあったとしたら、磁束の変動により、各導体トラック１３、１４、１７が形成する、開いたループの両端の間に起電力が生成されることになる。それが測定の誤差を生じさせることになるのは、ホール効果センサ６が、導体トラックに沿って配分されているからである。
【００４５】
できれば、プリント回路基板１１には、両面１１ａ、１１ｂのそれぞれの上に、例えば銅製の、アースパターン１５ａ、１５ｂがそれぞれあって、そのプリント回路基板の導体トラックをぴったりと密接して包み込んでいることが望ましい。二つのアースパターン１５ａ、１５ｂは、図５、６では、黒く塗った広い範囲として示しており、図２ではまとめて符号１５で示している。二つのアースパターン１５ａ、１５ｂを相互に電気接続しているのは少なくとも一つの導体の横断箇所（図示せず）で、それは、図３に示されている導体の横断箇所２１と同様の手法で、プリント回路基板１１の基材１９の中に設置されている。
【００４６】
できれば、二つのアースパターン１５ａ、１５ｂのうちの少なくとも一面、できれば、それらアースパターンの両方が閉じたループとなっているのが望ましいのは、導体トラック１３、１４、１７について前述したのと同様の理由からである。そのようにして、そのアースパターンの中に誘起された寄生磁界の入った電圧から解放されることが可能である。
【００４７】
できれば、導体トラック１４は、アースパターン１５に、そのたった一地点１６（図７）でつながれることが望ましく、その一地点が、導体トラック１３と隣接し、その導体トラック１３がつながれている加算地点８は、上記の一地点１６と隣接していることになる。同様に、第一の固定電位（＋５Ｖ）にあり、導体トラック１７につながれている一点１８は、プリント回路基板１１の、加算地点８の傍らで、アースパターン１５への接続の一地点１６の傍らのところに位置していることが望ましい。そのような配置の効果として、導体トラック及び／またはプリント回路基板１１のアースパターンの中で局部的に電圧が誘起された場合にも、それがホール効果センサ６が供給する信号に付け加わったり、それにより、電流の測定が攪乱されたりすることとなるような事態が回避される。
【００４８】
最後に、加算用抵抗器７のそれぞれに、専用の端子が二つあり、それら端子がそれぞれ、対応するホール効果センサ６の端子６ａのできるだけ近く、そして、導体トラック１３のできるだけ近くに接続されている。これは図８に、はっきりと現れており、そこでは、プリント回路基板１１の、ホール効果センサのうちの一つに対応する一部、さらに詳細には部位Ｐ7の中にある部分が、拡大されて示されている。図８においては、プリント回路基板１１の導体の区域２６ａ〜２６ｄは、部位Ｐ7の中に位置するホール効果センサ６の端子６ａ〜６ｄがそれぞれ溶着されている区域なのであり、一方、プリント回路基板１１の区域２７ａ及び２７ｂは、対応する加算用抵抗器７の二つの端子が溶着されている区域なのである。これもまた図８から分かることなのだが、ホール効果センサ６の端子６ｂ〜６ｄは、導体トラック１４、１７のできるだけ近くに接続されているが、それは、端子６ｂ、６ｄを接続するのに役立つ導体の区域２６ｂ、２６ｄは導体トラック１４上にあり、端子６ｃを接続するのに役立つ導体の区域２６ｃは導体トラック１７上にあるからである。
【００４９】
ホール効果センサのケースで、接続用の端子あるいは足が三つしかないものがある。プリント回路基板１１にはさらに、部位Ｐ1からＰ14にそれぞれ隣接する部位Ｐ’1からＰ’14  に、導体の区域２６’ａ、２６’ｂ、２６’ｃ（図８）があって、そこに、端子が三つのホール効果センサの端子を溶着できるようにすると好都合である。
【００５０】
上記のような、本発明の実施態様は、ただ単に例として示したのであって、限定する趣旨のものでは全くなく、当業者が、本発明の範囲を逸脱しないで、いくらでも修正を加えることは容易に可能であるのは明らかである。以上のように、本発明は、ホール効果センサを備えた電流検出器について説明してきたのであるが、そのようなホール効果センサの代わりに、例えば、磁気抵抗素子のような、磁界を感知する他の要素を用いることも考えられるものである。
【００５１】
なお、プリント回路基板１１の開口１２の周囲をぐるりと取り囲む（ケース２の開口部３の周囲に切れ目がない）ように閉じたループ（短絡）を、導体トラック１３、１４、１７並びにアースパターン１５で形成するというのが、好都合なのではあるものの、導体トラック１３、１４、１７並びにアースパターン１５が閉じたループとなっていても、本発明の枠から逸脱することがないこともあり、それが当てはまることがありうるのは、その電流検出器のケースの開口部の周囲が閉じていなく、それにより、導電体４の上に跨がるように楽に設置できるようにする場合であり、その場合には、その導電体の長手方向に対して横断方向に移動させれば、その導電体の接続を外さなくてもよいのである。
【００５２】
測定対象の電流が流れる導電体の周りにその電流検出器を設置することができるように、その電流検出器を互いに分離可能な二つの部分で実現することを検討してもよいのであり、その場合、その電流検出器の二つの部分を機械的に連結することのできる手段を用意し、他にも、そのような二つの部分を組み合わせたときに、その電流検出器の二つの部分の間に適正に電気が通るようにできる手段を用意して、磁界の検出素子６をつなぐ導体トラック１３、１４、１７のために、閉じたループを据えつける。
【００５３】
さらに、導体の撚合せ状の構造、すなわち、上記の導体トラック１３、１４、１７の撚合せ状の構造は、両面のプリント面１１ａ、１１ｂのあるプリント回路基板１１を用いても得られるのであるが、そのような導体トラックをジグザグに通らせることと、撚合せ状の、あるいは編組状の構造は、たった一つの面の上に載せたプリント回路基板を用いても、得られることが可能性がある。この場合には、導体トラック１３、１４、１７のそれぞれは、Ｕ字型の金属器具（業界では「ストラップ」とも呼ばれる）で部分的に形成（二つのうち導体セグメントが一つというように）されることになり、他の導体トラックの導体セグメントに跨がらせる。
【００５４】
もう一つ他の実施変形例においては、導体トラックをジグザグに通らせることと、撚合せ状の、あるいは編組状の構造は、また、多層の基材の外面の少なくとも一つの上と、その基材の中間層の少なくとも一つの上に導体トラックのある多層のプリント回路基板を一つ用いることでも得られる可能性がある。
【図面の簡単な説明】
【００５５】
【図１】本発明に係る電流検出器に、測定対象用の導電性バーを設置した概略図
【図２】本発明に係る電流検出器の、概略的な電気図面
【図３】導体トラックを、プリント回路基板に表裏ジグザグに通らせた見取り図
【図４】本発明における寄生磁界への感度低減の説明のための原理図
【図５】本発明に係る電流検出器のプリント回路基板のおもて面を示す図
【図６】本発明に係る電流検出器のプリント回路基板の裏面を示す図
【図７】本発明に係る電流検出器のプリント回路基板の表裏両面を透かした図
【図８】図７に示すプリント回路基板の表裏両面の部分拡大図
【符号の説明】
【００５６】
１  電流検出器
２  ケース
３  開口部
４  導電体
５  貫通穴
６  検出素子
７  加算用抵抗器
８  加算地点
９  信号処理回路
１１  基板
１２  開口
１３、１４  導体
１５  アースパターン
１７  導体
【図１】
2007513355.tif 000003
【図２】
2007513355.tif 000004
【図３】
2007513355.tif 000005
【図４】
2007513355.tif 000006
【図５】
2007513355.tif 000007
【図６】
2007513355.tif 000008
【図７】
2007513355.tif 000009
【図８】
2007513355.tif 000010
【国際調査報告】
2007513355.tif 000011
2007513355.tif 000012
2007513355.tif 000013
2007513355.tif 000014
2007513355.tif 000015
2007513355.tif 000016